(57)【要約】【課題】画像データ等を表示装置の種別等に応じて変換して提供することが可能な変換装置等を提供すること。【解決手段】サーバ１００が、ソース画像データ１２１を記憶する記憶部１２０と、表示装置との通信を行う通信部１１０と、ソース画像データ１２１を変換して変換画像データを生成する変換部１３０を含み、通信部１１０が、前記表示装置から前記表示装置の種別および変換形式の少なくとも一方を示す要求情報を受信するとともに、前記変換画像データを前記表示装置へ向け送信し、変換部１３０が、前記種別および前記変換形式の少なくとも一方に基づき、ソース画像データ１２１を前記変換画像データに変換する。【選択図】図２
2009098179.tif 000002
【特許請求の範囲】
【請求項１】
ソース画像データを記憶する記憶部と、
表示装置との通信を行う通信部と、
前記ソース画像データを変換して変換画像データを生成する変換部と、
を含む変換装置において、
前記通信部は、前記表示装置から前記表示装置の種別および変換形式の少なくとも一方を示す要求情報を受信するとともに、前記変換画像データを前記表示装置へ向け送信し、
前記変換部は、前記種別および前記変換形式の少なくとも一方に基づき、前記ソース画像データを前記変換画像データに変換することを特徴とする変換装置。
【請求項２】
請求項１に記載の変換装置において、
前記記憶部は、前記種別と前記変換形式とが対応付けられた種別変換形式対応付けデータを記憶し、
前記変換部は、前記表示装置の種別を示す前記要求情報が受信された場合、当該種別と、前記種別変換形式対応付けデータとに基づき、適用する変換形式を決定するとともに、当該変換形式で前記ソース画像データを前記変換画像データに変換することを特徴とする変換装置。
【請求項３】
請求項１、２のいずれかに記載の変換装置において、
前記変換部は、前記ソース画像データを標準的なデータ形式に変換して標準画像データとして前記記憶部に記憶するとともに、前記要求情報に基づき、前記標準的なデータ形式での変換で対応可能かどうかを判定し、
前記通信部は、前記標準的なデータ形式での変換で対応可能な場合、前記標準画像データを前記変換画像データとして前記表示装置へ向け送信することを特徴とする変換装置。
【請求項４】
請求項１〜３のいずれかに記載の前記変換装置と、
請求項１〜３のいずれかに記載の前記表示装置と、
を含み、
前記表示装置は、
前記要求情報を送信するとともに、前記変換画像データを受信する表示側通信部と、
前記変換画像データに基づき、画像を表示する表示部と、
を含むことを特徴とする表示システム。
【請求項５】
請求項４に記載の表示システムにおいて、
前記通信部は、アップロード装置または前記表示装置から前記ソース画像データを受信することを特徴とする表示システム。
【請求項６】
ソース画像データを記憶する記憶部と、表示装置との通信を行う通信部とを含むコンピュータにより読み取り可能なプログラムにおいて、
前記コンピュータを、
前記通信部を制御する通信制御部と、
前記ソース画像データを変換して変換画像データを生成する変換部として機能させ、
前記通信制御部は、前記通信部に、前記表示装置から前記表示装置の種別および変換形式の少なくとも一方を示す要求情報を受信させるとともに、前記変換画像データを前記表示装置へ向け送信させ、
前記変換部は、前記種別および前記変換形式の少なくとも一方に基づき、前記ソース画像データを前記変換画像データに変換することを特徴とするプログラム。
【請求項７】
ソース画像データを記憶する記憶部と、表示装置との通信を行う通信部と、変換部とを含むコンピュータによる変換方法において、
前記通信部は、前記表示装置から前記表示装置の種別および変換形式の少なくとも一方を示す要求情報を受信し、
前記変換部は、前記種別および前記変換形式の少なくとも一方に基づき、前記ソース画像データを前記変換画像データに変換し、
前記通信部は、前記変換画像データを前記表示装置へ向け送信することを特徴とする変換方法。
【発明の詳細な説明】
【技術分野】
【０００１】
本発明は、画像データ等の変換を行う変換装置、表示システム、プログラムおよび変換方法に関する。
【背景技術】
【０００２】
例えば、プレゼンテーション会場等でプレゼンテーションが行われる場合、プレゼンタは、事前にコンテンツ（プレゼンテーション用画像データ）を作成し、そのコンテンツをＰＣ(Personal Computer)内のストレージに格納してＰＣを持ち運んだり、ＵＳＢメモリ等の外部メモリに格納して外部メモリを持ち運んだりするのが一般的である。
【０００３】
一方、プロジェクタは、プレゼンテーション会場等に固定して設置されている。プレゼンタは、プロジェクタとＰＣを接続したり、プロジェクタと外部メモリを接続したりすることにより、プロジェクタにコンテンツを取得させて投写させる。
【０００４】
このような場合、外部メモリには種々の種別があるため、プロジェクタと接続できない場合も生じ得る。また、ＰＣや外部メモリを持ち運ぶこと自体、手間がかる上、紛失の危険性もある。さらに、ＰＣや外部メモリに記憶されるコンテンツとプロジェクタが投写可能なコンテンツとの互換性の問題もある。
【０００５】
このような問題を解決するため、特開２００３−６６６６１号公報では、遠隔地間で共通のプレゼンテーションファイルを用いたプレゼンテーションを行うために、サーバにプレゼンテーションファイルを記憶し、プロジェクタが、当該プレゼンテーションファイルにアクセスしてプレゼンテーションを行うことが記載されている。
【特許文献１】特開２００３−６６６６１号公報
【発明の開示】
【発明が解決しようとする課題】
【０００６】
しかし、特開２００３−６６６６１号公報では、プレゼンテーションファイルを再生する表示装置の種別等は考慮されていない。このため、特開２００３−６６６６１号公報の手法では、例えば、プレゼンタがプレゼンテーション会場のプロジェクタの機種を知らず、プレゼンテーション会場に到着してプロジェクタの機種に応じてサーバのプレゼンテーションファイルを変換することは困難である。
【０００７】
また、あらかじめプレゼンテーションファイルを変換してからサーバにアップロードする手法も考えられる。しかし、この場合は、あらかじめプロジェクタの機種等を把握しておく必要があり、上記の場合やユーザが異なる場合等にはこの手法では対応できない。さらに、あらかじめプレゼンテーションファイルを変換してしまうと、実際には変換が不要な場合も変換してしまうことによって画質等が劣化してしまう場合がある。
【０００８】
本発明の目的は、画像データ等を表示装置の種別等に応じて変換して提供することが可能な変換装置、表示システム、プログラムおよび変換方法を提供することにある。
【課題を解決するための手段】
【０００９】
上記課題を解決するため、本発明に係る変換装置は、ソース画像データを記憶する記憶部と、表示装置との通信を行う通信部と、前記ソース画像データを変換して変換画像データを生成する変換部と、を含む変換装置において、前記通信部は、前記表示装置から前記表示装置の種別および変換形式の少なくとも一方を示す要求情報を受信するとともに、前記変換画像データを前記表示装置へ向け送信し、前記変換部は、前記種別および前記変換形式の少なくとも一方に基づき、前記ソース画像データを前記変換画像データに変換することを特徴とする。
【００１０】
また、本発明に係る表示システムは、前記変換装置と、前記表示装置と、を含み、前記表示装置は、前記要求情報を送信するとともに、前記変換画像データを受信する表示側通信部と、前記変換画像データに基づき、画像を表示する表示部と、を含むことを特徴とする。
【００１１】
また、本発明に係るプログラムは、ソース画像データを記憶する記憶部と、表示装置との通信を行う通信部とを含むコンピュータにより読み取り可能なプログラムにおいて、前記コンピュータを、前記通信部を制御する通信制御部と、前記ソース画像データを変換して変換画像データを生成する変換部として機能させ、前記通信制御部は、前記通信部に、前記表示装置から前記表示装置の種別および変換形式の少なくとも一方を示す要求情報を受信させるとともに、前記変換画像データを前記表示装置へ向け送信させ、前記変換部は、前記種別および前記変換形式の少なくとも一方に基づき、前記ソース画像データを前記変換画像データに変換することを特徴とする。
【００１２】
また、本発明に係る変換方法は、ソース画像データを記憶する記憶部と、表示装置との通信を行う通信部と、変換部とを含むコンピュータによる変換方法において、前記通信部は、前記表示装置から前記表示装置の種別および変換形式の少なくとも一方を示す要求情報を受信し、前記変換部は、前記種別および前記変換形式の少なくとも一方に基づき、前記ソース画像データを前記変換画像データに変換し、前記通信部は、前記変換画像データを前記表示装置へ向け送信することを特徴とする。
【００１３】
本発明によれば、変換装置等は、表示装置からの要求に応じてソース画像データを変換画像データに変換することにより、画像データ等を表示装置の種別等に応じて変換して提供することができる。
【００１４】
また、前記記憶部は、前記種別と前記変換形式とが対応付けられた種別変換形式対応付けデータを記憶し、前記変換部は、前記表示装置の種別を示す前記要求情報が受信された場合、当該種別と、前記種別変換形式対応付けデータとに基づき、適用する変換形式を決定するとともに、当該変換形式で前記ソース画像データを前記変換画像データに変換してもよい。
【００１５】
これによれば、変換装置等は、種別のみを示す要求情報を受信した場合であっても、種別変換形式対応付けデータを用いて適用する変換形式を決定することができるため、画像データ等を表示装置の種別等に応じて変換して提供することができる。
【００１６】
また、前記変換部は、前記ソース画像データを標準的なデータ形式に変換して標準画像データとして前記記憶部に記憶するとともに、前記要求情報に基づき、前記標準的なデータ形式での変換で対応可能かどうかを判定し、前記通信部は、前記標準的なデータ形式での変換で対応可能な場合、前記標準画像データを前記変換画像データとして前記表示装置へ向け送信してもよい。
【００１７】
これによれば、変換装置等は、あらかじめ標準画像データを記憶しておくことにより、標準的なデータ形式での変換で対応可能な場合、動的な変換を行うことなく、よりスムーズに変換画像データを表示装置に提供することができる。
【００１８】
また、前記通信部は、アップロード装置または前記表示装置から前記ソース画像データを受信してもよい。
【００１９】
これによれば、変換装置等は、アップロードされたソース画像データを変換して表示装置に提供することができる。
【発明を実施するための最良の形態】
【００２０】
以下、本発明をサーバ等に適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００２１】
（第１の実施例）
図１は、第１の実施例における表示システムの全体図である。表示システムは、変換装置の一種であるサーバ１００と、サーバ１００に画像データ等をアップロードするアップロード装置の一種であるＰＣ２００と、画像データ等に基づく画像の表示等を行う表示装置の一種であるプロジェクタ３００を含んで構成されている。また、サーバ１００、ＰＣ２００、プロジェクタ３００は、ネットワーク１０（例えば、ＷＡＮ、ＬＡＮ等）を介して相互に接続されている。
【００２２】
なお、説明を簡単にするため、図１では、ＰＣ２００、プロジェクタ３００は１台のみであるが、サーバ１００は、複数のＰＣ２００、複数のプロジェクタ３００と通信を行うことが可能である。また、ＰＣ２００は表示システムに含まれなくてもよい。
【００２３】
サーバ１００は、ＰＣ２００から送信されるソース画像データを、プロジェクタ３００の種別や要求内容に応じて変換する機能を有する。次に、このような機能を有するサーバ１００の機能ブロックについて説明する。
【００２４】
図２は、第１の実施例におけるサーバ１００の機能ブロック図である。サーバ１００は、ＰＣ２００およびプロジェクタ３００と通信を行う通信部１１０と、種々のデータを記憶する記憶部１２０と、種々のデータを変換する変換部１３０を含んで構成されている。
【００２５】
また、記憶部１２０は、ＰＣ２００からアップロードされるソース画像データ１２１、ソース画像データ１２１が標準的なデータ形式に変換された標準画像データ１２２、プロジェクタ３００の種別と、データの変換形式とが対応付けられた種別変換形式対応付けデータ１２３等を記憶している。
【００２６】
図３（Ａ）は、第１の実施例における種別変換形式対応付けデータ１２３の一例を示す図である。例えば、種別が機種Ａである場合、変換形式は解像度が６４０×４８０、色の表現形式がＲＧＢ、データの拡張子がＺであり、種別が機種Ｂである場合、変換形式は解像度が１０２４×７６８、色の表現形式がｓＲＧＢ、データの拡張子がＹであり、種別が機種Ｃである場合、変換形式は標準、データの拡張子がＸである。変換部１３０は、種別変換形式対応付けデータ１２３を参照することにより、プロジェクタ３００の種別から変換形式を決定することが可能である。
【００２７】
なお、これらの各部は、例えば、以下のハードウェアを用いて実装されてもよい。例えば、通信部１１０としてはＬＡＮボード等、記憶部１２０としてはＨＤＤ等、変換部１３０としてはＣＰＵ等が採用されてもよい。
【００２８】
また、サーバ１００は、これらの各部の機能をサーバ１００に実装するためのプログラムを情報記憶媒体４００から読み取ることにより、各部の機能を実装してもよい。このような情報記憶媒体４００としては、例えば、ＣＤ−ＲＯＭ、ＤＶＤ−ＲＯＭ、ＲＯＭ、ＲＡＭ、ＨＤＤ等を適用でき、そのプログラムの読み取り方式は接触方式であっても、非接触方式であってもよい。
【００２９】
次に、これらの各部を用いたデータの変換手順について説明する。ここでは、ユーザが、会社のＰＣ２００からサーバ１００にソース画像データ１２１をアップロードし、当該ユーザまたは他のユーザが、プレゼンテーション会場に設置されたプロジェクタ３００にソース画像データ１２１が変換された変換画像データをダウンロードし、プロジェクタ３００が、当該変換画像データに基づく画像を投写する場合におけるサーバ１００による標準画像データの記憶手順およびデータの変換手順について順に説明する。
【００３０】
図４は、第１の実施例における標準画像データの記憶手順を示すフローチャートである。まず、通信部１１０は、ソース画像データ１２１を受信したかどうかを判定する（ステップＳ１）。ソース画像データ１２１が受信された場合、変換部１３０は、ソース画像データ１２１を記憶部１２０に記憶する（ステップＳ２）。なお、実際には、記憶部１２０には複数種のソース画像データ１２１が記憶されるため、ＰＣ２００からアップロードされるソース画像データ１２１にはソース画像データ１２１の識別情報等が付加されていてもよい。
【００３１】
また、変換部１３０は、ソース画像データ１２１を記憶部１２０に記憶した後、ソース画像データ１２１を標準的なデータ形式に変換して標準画像データ１２２を生成し、標準画像データ１２２を記憶部１２０に記憶する（ステップＳ３）。以上の手順により、標準画像データ１２２が記憶部１２０に記憶される。
【００３２】
なお、標準的なデータ形式としては、例えば、標準的なプレゼンテーションファイル形式、標準的なドキュメントファイル形式、プロジェクタ３００のメーカー固有のファイル形式等が該当する。また、標準的なデータ形式が複数種ある場合、変換部１３０は、同時に複数種の標準画像データ１２２を生成してもよい。
【００３３】
次に、データの変換手順について説明する。図５は、第１の実施例における変換手順を示すフローチャートである。変換部１３０は、通信部１１０によってプロジェクタ３００からのダウンロード要求を示す要求情報が受信されたかどうかを判定する（ステップＳ４）。当該要求情報が受信された場合、変換部１３０は、当該要求が標準的なデータ形式での要求であるかどうかを判定する（ステップＳ５）。
【００３４】
なお、要求情報としては、例えば、プロジェクタ３００のＩＰアドレス、プロジェクタ３００の機種名、要求するデータ形式、要求するソース画像データ１２１の識別情報等が含まれてもよい。また、認証が行われる場合、要求情報には、ユーザ名、パスワード等の認証情報が含まれてもよい。
【００３５】
当該要求が標準的なデータ形式での画像データの提供要求である場合、変換部１３０は、標準画像データ１２２を変換画像データとして適用する（ステップＳ６）。一方、当該要求が標準的なデータ形式での要求ではない場合、変換部１３０は、種別変換形式対応付けデータ１２３を参照し、要求情報に含まれるプロジェクタ３００の機種名から対応する変換形式を決定し（ステップＳ７）、決定した変換形式でソース画像データ１２１を変換して変換画像データを生成する（ステップＳ８）。
【００３６】
通信部１１０は、ステップＳ６で適用された変換画像データまたはステップＳ８で生成された変換画像データを、要求情報の送信元のプロジェクタ３００へ向け送信する（ステップＳ９）。
【００３７】
プロジェクタ３００は、変換画像データを受信し、変換画像データに基づき、画像を生成、投写する。なお、プロジェクタ３００は、要求情報を送信するとともに、変換画像データを受信する表示側通信部、画像生成部、投写部（表示部）等の構成を有している。
【００３８】
以上のように、本実施例によれば、サーバ１００は、プロジェクタ３００からの要求に応じてソース画像データ１２１を変換画像データに変換することにより、画像データ等をプロジェクタ３００の種別等に応じて変換して提供することができる。
【００３９】
また、本実施例によれば、サーバ１００は、種別のみを示す要求情報を受信した場合であっても、種別変換形式対応付けデータ１２３を用いて適用する変換形式を決定することができるため、画像データ等をプロジェクタ３００の種別等に応じて変換して提供することができる。
【００４０】
また、本実施例によれば、サーバ１００は、あらかじめ標準画像データ１２２を記憶しておくことにより、標準的なデータ形式での変換で対応可能な場合、動的な変換を行うことなく、よりスムーズに変換画像データをプロジェクタ３００に提供することができる。
【００４１】
また、本実施例によれば、サーバ１００は、ＰＣ２００によってアップロードされるソース画像データ１２１を記憶部１２０に記憶することにより、アップロードされたソース画像データ１２１を変換して表示装置に提供することができる。
【００４２】
また、本実施例によれば、サーバ１００がデータの変換を行うことにより、ＰＣ２００やプロジェクタ３００にデータの変換機能を付加する必要がないため、既存のＰＣ２００や既存のプロジェクタ３００を使用することができる。その上、サーバ１００は、プロジェクタ３００がダウンロードする際の画像（ユーザインターフェース）を共通化することができる。
【００４３】
また、本実施例によれば、サーバ１００に記憶されたデータをプロジェクタ３００がダウンロードして使用することができるため、サーバ１００は、ユーザがデータを持ち運ぶ手間やデータの紛失リスク等を軽減できる。その上、ユーザは、自分の使用したい場所で、ＰＣ２００を用いることなくプロジェクタ３００を用いたプレゼンテーション等を行うことができる。
【００４４】
さらに、本実施例によれば、サーバ１００が動的にソース画像データ１２１の変換を行うことにより、あらかじめソース画像データ１２１を標準画像データ１２２に変換して記憶しておき、要求に応じてさらに標準画像データ１２２を変換する方式と比べ、画質の劣化を抑制することができる。
【００４５】
（第２の実施例）
第１の実施例では、標準画像データ１２２、種別変換形式対応付けデータ１２３が用いられているが、これらのデータは必須ではない。次に、常に動的変換が行われる実施例について説明する。
【００４６】
図６は、第２の実施例におけるサーバ１０１の機能ブロック図である。サーバ１０１の記憶部１２０には標準画像データ１２２、種別変換形式対応付けデータ１２３は記憶されない。変換部１３１は、ソース画像データ１２１をプロジェクタ３００からの要求に応じて変換する機能を有する。その他の構成は第１の実施例と同様であるため説明を省略する。なお、サーバ１０１も第１の実施例と同様に情報記憶媒体４０１からプログラムを読み取って変換部１３１等の機能を実装してもよい。
【００４７】
次に、これらの各部を用いた変換手順について説明する。図７は、第２の実施例における変換手順を示すフローチャートである。
【００４８】
まず、変換部１３１は、通信部１１０によってプロジェクタ３００からのダウンロード要求を示す要求情報が受信されたかどうかを判定する（ステップＳ１１）。なお、この要求情報には、プロジェクタ３００が希望するデータの変換形式を示す情報が含まれるものとする。
【００４９】
ダウンロード要求を示す要求情報が受信された場合、変換部１３１は、要求情報に含まれる希望データ変換形式を示す情報に基づき、ソース画像データ１２１を変換して変換画像データを生成する（ステップＳ１２）。
【００５０】
通信部１１０は、生成された変換画像データを、要求情報の送信元のプロジェクタ３００へ向け送信する（ステップＳ１３）。
【００５１】
以上のように、本実施例によれば、サーバ１００は、動的にソース画像データ１２１を変換することにより、記憶部１２０に標準画像データ１２２、種別変換形式対応付けデータ１２３を記憶することなく、プロジェクタ３００の要求に応じたデータを提供することができる。
【００５２】
（その他の実施例）
なお、本発明の適用は上述した実施例に限定されず、種々の変形が可能である。例えば、上述した実施例では、画像データのみが用いられているが、変換部１３０、１３１は、音声データを変換してもよい。また、画像データは、静止画データでも動画データでもよい。
【００５３】
また、アップロード装置は、ＰＣ２００には限定されず、例えば、携帯電話、ハードディスクレコーダ等であってもよい。また、表示装置は、プロジェクタ３００には限定されず、例えば、テレビ、液晶モニタ、携帯電話等であってもよい。
【００５４】
また、プロジェクタ３００は、ユーザの操作情報を入力する操作部と、当該操作情報に基づいて要求情報を生成する情報生成部を含んでもよい。これによれば、プロジェクタ３００は、例えば、ユーザの希望するデータ形式を示す要求情報を生成し、サーバ１００、１０１は、ユーザの希望に応じたデータ形式の変換画像データをプロジェクタ３００に提供することができる。また、情報生成部または表示側通信部は、プロジェクタ３００に記憶された設定情報等に基づいてプロジェクタ３００の種別や変換形式を示す要求情報を生成してもよい。
【００５５】
また、変換部１３０は、種別変換形式対応付けデータ１２３を更新してもよい。図３（Ｂ）は、その他の実施例における種別変換形式対応付けデータの一例を示す図である。例えば、変換部１３０は、プロジェクタ３００からの要求情報に含まれる希望データ変換形式が種別変換形式対応付けデータ１２３と異なる場合、種別変換形式対応付けデータ１２３における当該機種の変換形式を当該希望データ変換形式に更新してもよい。例えば、機種Ａのプロジェクタからの希望データ変換形式が６４０×４８０、ｓＲＧＢ、拡張子Ｙである場合、変換部１３０は、機種Ａの変換形式を図３（Ｂ）に示す形式に更新してもよい。
【００５６】
また、変換部１３０は、種別変換形式対応付けデータ１２３の種別に該当しない機種のプロジェクタから要求情報が送信された場合、当該要求情報に含まれる機種と希望データ変換形式を種別変換形式対応付けデータ１２３に追加してもよい。例えば、機種Ｄのプロジェクタから希望変換形式が１９２０×１０８０、ｓＲＧＢ、拡張子Ｙで要求情報が送信された場合、変換部１３０は、図３（Ｂ）に示すように、機種Ｄの変換形式を追加してもよい。以上のように、サーバ１００は、種別変換形式対応付けデータ１２３を更新することにより、表示装置の仕様変更や新たな表示装置の表示形式にも対応することが可能である。
【００５７】
また、上述した実施例では、アップロード装置がソース画像データ１２１をアップロードしているが、表示装置がソース画像データ１２１をアップロードし、同じ表示装置が変換画像データをダウンロードしてもよい。
【００５８】
また、サーバ１００、１０１は、１台の表示装置からの要求に応じて同時に複数の表示装置に変換画像データを提供してもよい。例えば、複数のプロジェクタ３００が、画像を重ね合わせて投写したり、１つの画像の異なる領域を分担して投写したりする場合がある。このような場合、複数のプロジェクタ３００のうちの１台のプロジェクタ３００が、自分だけでなく他のプロジェクタ３００のＩＰアドレスも含めて要求情報を送信し、サーバ１００、１０１は、当該要求情報に応じて変換した変換画像データを当該要求情報に含まれるＩＰアドレス宛に送信してもよい。
【００５９】
また、サーバ１００、１０１の機能を複数の装置（例えば、要求を順番に受け付けるメッセージキューイングサーバ、ユーザインタフェースを提供するウェブサーバ、記憶部１２０として機能するファイルサーバ、変換部１３０、１３１として機能する処理サーバ等）に分散して実装してもよい。
【図面の簡単な説明】
【００６０】
【図１】第１の実施例における表示システムの全体図である。
【図２】第１の実施例におけるサーバの機能ブロック図である。
【図３】図３（Ａ）は、第１の実施例における種別変換形式対応付けデータの一例を示す図であり、図３（Ｂ）は、その他の実施例における種別変換形式対応付けデータの一例を示す図である。
【図４】第１の実施例における標準画像データの記憶手順を示すフローチャートである。
【図５】第１の実施例における変換手順を示すフローチャートである。
【図６】第２の実施例におけるサーバの機能ブロック図である。
【図７】第２の実施例における変換手順を示すフローチャートである。
【符号の説明】
【００６１】
１０  ネットワーク、１００、１０１  サーバ（変換装置）、１１０  通信部、１２０  記憶部、１２１  ソース画像データ、１２２  標準画像データ、１２３  種別変換形式対応付けデータ、１３０、１３１  変換部、２００  ＰＣ（アップロード装置）、３００  プロジェクタ（表示装置）、４００、４０１  情報記憶媒体
【図１】
2009098179.tif 000003
【図２】
2009098179.tif 000004
【図３】
2009098179.tif 000005
【図４】
2009098179.tif 000006
【図５】
2009098179.tif 000007
【図６】
2009098179.tif 000008
【図７】
2009098179.tif 000009